(57)【特許請求の範囲】
【請求項１】
本体と、洗浄空間の確保のために前記本体の内部に設けられる洗浄槽と、食器を収納するように前記洗浄槽の内部に設置されるバスケットと、前記洗浄槽を開閉するように前記洗浄槽の前面の前記本体に設けられるドアとを備えた食器洗い機において、
前記バスケットは、前記洗浄槽の内壁と前記バスケットとの間に設置される多段の伸縮式摺動レールによって前記洗浄槽の内部から外部への引出ができるように設けられ、
前記ドアはその高さが前記洗浄槽の奥行きより短くなるように設けられ、
前記バスケットは前記ドアの外側まで引き出すことができるように設けられ、
前記伸縮式摺動レールが第１レール、第２レール及び第３レールを含んで構成されることを特徴とする食器洗い機。
【請求項２】
前記ドアはその下端部が前記本体の前面にヒンジ結合されるように設けられ、前記ドアには前記バスケットの引出に伴って前記バスケットの下部に延長されるカバーが設けられたことを特徴とする請求項１記載の食器洗い機。
【請求項３】
前記カバーは、前記ドアの内面に摺動可能に取り付けられたカバー本体と、前記カバー本体が前記バスケットの引出時に前記バスケットの先端に係止されて前記バスケットと共に摺動するように前記本体の一端に設けられた係止部とを含むことを特徴とする請求項２記載の食器洗い機。
【発明の詳細な説明】
【０００１】
【発明の属する技術分野】
本発明は、食器洗い機に関し、さらに詳しくは、ドアの高さをより低くし且つ洗浄槽内のバスケットを洗浄槽の外部に十分引き出すことが可能なコンパクト型の食器洗い機に関する。
【０００２】
【従来の技術】
一般に、食器洗い機は、図１に示すように、内部に洗浄槽２が設けられた本体１と、洗浄槽２の前面の開口を開閉するように下端が本体１の前面にヒンジ結合されたドア３とを備える。そして、洗浄槽２の内部には、食器を収容するためのバスケット４が前後方向に摺動可能に設置され、バスケット４を収容する洗浄槽２の上部には、バスケット４に収容された食器へ洗浄水を噴射するように、給水管５ａに連結された噴射ノズル５ｂが結合される。また、洗浄槽２の下部の本体１内には、洗浄水を集水するための集水筒（図示せず）が設けられ、洗浄槽２の底面には、集水筒（図示せず）へ案内される洗浄水中の異物を濾過するためのフィルター（図示せず）が設置される。
【０００３】
このような構造を有する従来の食器洗い機は、バスケット４の内部に食器を収容させた状態でドア３を閉めて食器洗い機を稼動させると、給水管５ａから噴射ノズル５ｂに供給された洗浄水がバスケット４内の食器へ噴射され、食器の洗浄が行われる。
【０００４】
一方、前記バスケット４に食器を収納しようとする場合、前記バスケット４は、洗浄槽２の内部から開放されたドア３の上面側に引き出された状態で内部に食器を収納するように設けられるが、このために、前記バスケット４の下部には左右両側に多数のローラ４ａが設置され、前記ローラ４ａに対応する部位の洗浄槽２の左右壁面とドア３の内面左右側にはそれぞれ前記ローラ４ａの摺動を案内するレール４ｂが設けられる。従って、洗浄槽２の内部に収容されたバスケット４は、下側のローラ４ａが前記洗浄槽２側のレール４ｂからドア３の内面側のレール４ｂに沿って摺動し、開放されたドア３の上面に引き出される。このような状態で前記バスケット４の内部に食器を収納する。
【０００５】
ところが、このようにバスケット４が、開放されたドア３の上面に支持されるように洗浄槽２の外部に引き出される従来の食器洗い機は、バスケット４の十分な引出のためにドア３の高さを十分確保しなければならないので、このようなドア３の高さは、食器洗い機の高さを低くしてよりコンパクトなタイプの食器洗い機を提供することを難しくする要因になった。
【０００６】
【発明が解決しようとする課題】
本発明は、かかる問題点を解決するためのもので、その目的は、食器洗い機のドアの高さを低くしてよりコンパクトなタイプの食器洗い機を提供すると共に、洗浄槽内のバスケットを開放されたドアの上面に支持しなくても洗浄槽の外部に十分引き出すことが可能な食器洗い機を提供することにある。
【０００７】
【課題を解決するための手段】
上記目的を達成するために、本発明は、本体と、洗浄空間の確保のために前記本体の内部に設けられる洗浄槽と、食器を収納するように前記洗浄槽の内部に設置されるバスケットと、前記洗浄槽を開閉するように前記洗浄槽の前面の前記本体に設けられるドアとを備えた食器洗い機において、前記バスケットは、前記洗浄槽との間に設置される多段の伸縮式摺動レールによって前記洗浄槽の内部から外部への引出ができるように設けられたことを特徴とする。
【０００８】
また、前記ドアはその高さが前記洗浄槽の奥行きより短くなるように設けられ、前記バスケットは前記ドアの外側まで引き出すことができるように設けられたことを特徴とする。
【０００９】
また、前記ドアはその下端部が前記本体の前面にヒンジ結合されるように設けられ、前記ドアには前記バスケットの引出に伴って前記バスケットの下部に延長されるカバーが設けられたことを特徴とする。
【００１０】
前記カバーは、前記ドアの内面に摺動可能に取り付けられたカバー本体と、前記本体が前記バスケットの引出時に前記バスケットの先端に係止されて前記バスケットと共に摺動するように前記カバー本体の一端に設けられた係止部とを含むことを特徴とする。
【００１１】
【発明の実施の形態】
以下、本発明に係る好適な実施形態を添付図に基づいて詳細に説明する。
本発明に係る食器洗い機は、図２に示すように、ドア２０が前面下端側にヒンジ結合されたキャビネット状の本体１０を備え、このような本体１０の内部には、前記ドア２０によって開閉され且つ食器の収容及び洗浄空間を確保する洗浄槽３０が設けられる。
【００１２】
このような洗浄槽３０の内部には、洗浄槽３０の外部への引出ができるように摺動し、食器を収容するためのバスケット４０が設置され、前記バスケット４０の上方には、バスケット４０に収容された食器へ洗浄水を噴射するための噴射ノズル５１が設置される。このような噴射ノズル５１は洗浄槽３０の上端に設置された給水管５２に連結される。
【００１３】
また、洗浄槽２０の下部の本体１０内には、洗浄水を集水するための集水筒（図示せず）が設けられるが、集水筒（図示せず）の側面と下面には、洗浄水を循環させるための循環ポンプ（図示せず）と洗浄水を排水させるための排水ポンプ（図示せず）がそれぞれ設置され、循環ポンプ（図示せず）と集水筒（図示せず）との間及び排水ポンプ（図示せず）と集水筒（図示せず）との間にはそれぞれ循環管（図示せず）と排水管（図示せず）が連結される。この際、前記循環管（図示せず）は噴射ノズル５１に連結された前記給水管５２への洗浄水供給ができるように設けられる。
【００１４】
このような構造によって噴射ノズル５１から噴射された洗浄水は、前記バスケット４０側に噴射されてバスケット４０内の食器を洗浄した後、洗浄槽３０の底面に集められ、前記集水筒（図示せず）へ案内され、循環ポンプ（図示せず）の作動によって集水筒（図示せず）及び循環管（図示せず）を経て吸水管５２へ送られた後、さらに噴射ノズル５１へ供給されて洗い機の内部を循環する。このように洗い機の内部を循環する洗浄水は、所定時間の経過後に排水ポンプ（図示せず）の作用によって前記排水管（図示せず）に沿って洗い機の外部に排水される。
【００１５】
一方、本発明に係る食器洗い機において、前記ドア２０はその高さが前記洗浄槽３０の奥行きより短くなるように形成されるが、これは食器洗い機の高さを低くしてよりコンパクトなタイプの食器洗い機を得るためである。参考として、前記洗浄槽３０の奥行きは洗浄槽３０の前面から後面までの長さを意味する。
【００１６】
そして、このようなドア２０の高さによって、前記バスケット４０は開放されたドア２０の上面に支持された状態で前記洗浄槽３０の外部に十分引き出されることができないが、このような状態でも前記バスケット４０が洗浄槽３０の外部に十分引き出されるように、本発明に係る食器洗い機は、洗浄槽３０の内壁と前記バスケット４０との間に設置される３段摺動レール６０によって、前記バスケット４０が、開放されたドア２０の上面に支持されなくても前記洗浄槽３０の外部に十分引き出されるように設けられる。
【００１７】
前記３段摺動レール６０は、伸縮式に設けられた多段の摺動レールであって、図３及び図４に示すように、前記バスケット４０の両側面とこれに対応する洗浄槽３０の内部の両側面との間に一対設置される。また、前記３段摺動レール６０は、バスケット４０の側面に固設される第１レール６１、洗浄槽３０の内側面に固設される第３レール６３、及び前記第１レール６１と第３レール６３との間に設けられる第２レール６２を含んで構成される。この際、前記第３レール６３は前記第２レール６２を内部に収容できるように設けられ、前記第２レール６２は前記第１レール６１を内部に収容できるように設けられる。また、前記第３レール６３及び第２レール６２の先端側と前記第２レール６２及び第１レール６１の後端側には、それぞれレール６１、６２、６３の外側と内側に折り曲げられて延長される係止片６４と係止突起６５が設けられる。前記係止片６４と係止突起６５は第１レール６１と第２レール６２の最大引出範囲を制限する役割をする。前記各レール６１、６２、６３の接触面には、各レール６１、６２、６３の引出と押込みを容易にするローラ６６が設置される。
【００１８】
このような３段摺動レール６０によって、前記バスケット４０は開放されたドア２０の上面に支持されなくても前記洗浄槽３０の内部から洗浄槽３０の外部への十分な引出が可能になる。これにより、前記ドア２０は洗浄槽３０の外部に引き出されるバスケット４０の下部を支持する必要がなくなる。従って、本発明に係る食器洗い機は、ドア２０の高さを低くしてよりコンパクトにすることができる。
【００１９】
また、このような構造では、３段摺動レール６０によるバスケット４０の最大引出時、前記バスケット４０が洗浄槽３０から開放された前記ドア２０の上面を通過して洗浄槽３０の外部に延長されるので、このような状態では、前記バスケット４０内の食器に付いた水滴が、食器洗い機の設置される厨房空間の床面に滴下して厨房を汚す虞がある。従って、本発明に係る食器洗い機において、前記ドア２０には、このようなバスケット４０の引出に伴ってバスケット４０の下部に延長され、バスケット４０から厨房の床面に滴下する水滴を遮断するためのカバー７０が設けられる。
【００２０】
前記カバー７０は、ドア２０の内部に摺動可能に挿入される本体７１と、前記バスケット４０の引出時にバスケット４０の先端に係止されて前記本体７１が前記バスケット４０と共に引き出されるように、前記本体７１の先端に設けられる係止部７２とを含んでなる。このようなカバー７０は、前記バスケット４０が前記ドア２０を通過するように延長される時点で、前記係止部７２がバスケット４０の先端に係止される。続くバスケット４０の引出に伴って、前記カバー７０は、図４に示すように、その本体７１がバスケット４０の下部を遮断し、前記バスケット４０と共にドア２０の外側に延長される。これにより、本発明に係る食器洗い機のバスケット４０は、３段摺動レール６０によって、開放されたドア２０の上面に支持されていない状態でも、洗浄槽３０の外部に十分延長されるとともに、前記カバー７０によってドア２０の外側に延長されたバスケット４０から厨房の床面に水滴が滴下することを防止することができる。
【００２１】
そして、前記カバー７０の長さは、前記３段摺動レール６０によるバスケット４０の最大引出長さを勘案して、前記バスケット４０の最大引出時にも前記バスケット４０の下部を遮断できるように設けられる。前記係止部７２はバスケット４０の引出時にバスケット４０の先端に容易に係止できるように設けられることが好ましい。
【００２２】
また、本実施形態では、前記カバー７０は、前記のような摺動方式によってドア２０から引き出されるように設けられているが、これとは異なり、通常のシャッターのような回転ローラ方式でドア２０に装着してもよく、バスケット４０の引出に伴ってバスケット４０の下側に延長され、バスケット４０から流し台の底面に滴下する水滴が遮断できれば、いずれの構造で設けてもよい。
【００２３】
【発明の効果】
上述したように、本発明に係る食器洗い機によれば、前記バスケット４０は伸縮式の３段摺動レール６０によって洗浄槽３０の壁面に設置される。従って、前記バスケット４０は開放されたドア２０の上面に支持されなくても前記洗浄槽３０の外部への十分な引出が可能になり、これにより前記食器洗い機のドア２０の高さをより低く設計することが可能になる。本発明に係る食器洗い機において、前記ドア２０には、バスケット４０の引出に伴って、バスケット４０の下部を遮断できるようにバスケット４０の下部に延長されるカバー７０が設置されるが、このようなカバー７０によって、バスケット４０が前記の如くドア２０の外側まで引き出されてもバスケット４０から食器洗い機の設置される厨房の床面に食器の水滴が滴下することを防止することができる。
【図面の簡単な説明】
【図１】  従来の食器洗い機の全体的な構造を示す斜視図である。
【図２】  本発明に係る食器洗い機において、バスケットが引き出される前の構造を示す斜視図である。
【図３】  本発明に係る食器洗い機において、バスケットが引き出された後の構造を示す斜視図である。
【図４】  本発明に係る食器洗い機の正面図である。
【符号の説明】
１０  本体
３０  洗浄層
４０  バスケット
６０  摺動レール
７０  カバー
７１  カバー本体
７２  係止部
８０  ドア
【図１】
0003725115.tif 000002
【図２】
0003725115.tif 000003
【図３】
0003725115.tif 000004
【図４】
0003725115.tif 000005